(57)【要約】      （修正有）【課題】熱縮チューブを使用しないコネクター用ワイヤリング台を提供する。【解決手段】コネクター用ワイヤリング台は、第一側面に位置決め穴１１が開設されており、第二側面には、一本のリードをそれぞれ収容する複数のワイヤリング溝１２が設けられており、その両端の端面に係止穴１３がそれぞれ凹設されている第一台座１０と、第一側面には、一本のリードをそれぞれ収容する複数のワイヤリング溝２１が設けられており、第二側面には、第一台座１０の位置決め穴１１に挿入して係止される位置決めピン２２が設けられており、その両端には、第一台座１０の係止穴１３と係止する弾性付きフック２３がそれぞれ設けられている第二台座２０と、を含む。【選択図】図１
0003146528.tif 000002
【実用新案登録請求の範囲】
【請求項１】
第一側面に位置決め穴が開設されており、第二側面には、一本のリードをそれぞれ収容する複数のワイヤリング溝が設けられており、その両端の端面に係止穴がそれぞれ凹設されている第一台座と、
第一側面には、一本のリードをそれぞれ収容する複数のワイヤリング溝が設けられており、第二側面には、前記第一台座の位置決め穴に挿入して係止される位置決めピンが設けられており、その両端には、前記第一台座の係止穴と係止する弾性付きフックがそれぞれ設けられている第二台座と、
を含むことを特徴とするコネクター用ワイヤリング台。
【考案の詳細な説明】
【技術分野】
【０００１】
本考案は、コネクター用ワイヤリング台に関し、特に、第一台座と第二台座とを相互に係止して構成され、且つ第一台座と第二台座とにはリードを挟むためのワイヤリング溝がそれぞれ設けられているコネクター用ワイヤリング台に関するものである。
【背景技術】
【０００２】
図７及び図８に示すように、市販されている信号伝送用のコネクターは、コネクターの樹脂製本体５１内に多数の端子５２が嵌め設けられており、これらの端子５２の末端とリードＬの溶接は、人工で一つ一つ溶接することが必要である。
【０００３】
しかしながら、これは次のような欠点があった。
（１）各リードＬの距離が極めて小さいので、溶接工事を容易にするために、各リードＬの前段に８〜１０ｍｍの裸線段Ｌ２を事前に用意することが必要である。しかし、裸線段Ｌ２の長さのうちの４〜５ｍｍだけが端子５２に溶接されるため、溶接された後に、露出する裸線段Ｌ２が長く、短絡が起こり易く、高周波信号による外乱を受け易い。
【０００４】
（２）端子５２にリードＬを溶接した後により長い裸線段Ｌ２がカバーされるために、溶接工事の前に各リードＬに熱縮チューブ５３を嵌めることが一般であり、端子５２にリードＬを溶接したとき、露出する裸線段Ｌ２に熱縮チューブ５３を移動して加熱した後、裸線段Ｌ２の露出部分がカバーされ、裸線段Ｌ２同士が絶縁状態になり、しかし、熱縮チューブ５３の使用は、生産コストが増加し、そして加工工数も増加する。
【０００５】
（３）裸線段Ｌ２が熱縮チューブ５３に被覆されたが、熱縮チューブ５３が極めて薄いので、外部からの高周波信号を遮蔽することができなく、高周波信号による外乱を受け易い。
【考案の開示】
【考案が解決しようとする課題】
【０００６】
本考案の主な目的は、第一台座と第二台座とを相互に係止して構成され、且つ第一台座と第二台座とにはリードを挟むためのワイヤリング溝がそれぞれ設けられていることにより、熱縮チューブを使用しなくても、溶接した後の裸線段の露出部分が遮蔽され、生産コストが減少し、そして加工工数も減少するコネクター用ワイヤリング台を提供することにある。
【課題を解決するための手段】
【０００７】
本考案の請求項１に記載のコネクター用ワイヤリング台によると、第一側面に位置決め穴が開設されており、第二側面には、一本のリードをそれぞれ収容する複数のワイヤリング溝が設けられており、その両端の端面に係止穴がそれぞれ凹設されている第一台座と、第一側面には、一本のリードをそれぞれ収容する複数のワイヤリング溝が設けられており、第二側面には、前記第一台座の位置決め穴に挿入して係止される位置決めピンが設けられており、その両端には、前記第一台座の係止穴と係止する弾性付きフックがそれぞれ設けられている第二台座と、を含むことを特徴とするコネクター用ワイヤリング台である。
【０００８】
（考案の効果）
本考案のコネクター用ワイヤリング台によれば、次のような効果がある。
（１）各端子３２に各リードＬの前段にある裸線段Ｌ１を溶接しているときには、各リードＬの前段にある裸線段Ｌ１が第一台座１０と第二台座２０とにそれぞれ挟まれているので、溶接を快速でスムーズに行うことができる。
【０００９】
（２）各端子３２に各リードＬの前段にある裸線段Ｌ１を精確に配設して溶接することができるので、各リードＬの前段にある裸線段Ｌ１の長さを４〜５ｍｍにすると充分であり、従来のものより裸線段Ｌ１の長さを大幅に減少することができる。これにより、リードの使用量を減少することができ、生産コストを低減することができる。
【００１０】
（３）各端子３２に各リードＬの前段にある裸線段Ｌ１を精確に配設して溶接することができるので、各リードＬの前段にある裸線段Ｌ１の長さを４〜５ｍｍにすると充分であり、従来のものより裸線段Ｌ１の長さを大幅に減少することができる。これにより、外部からの高周波信号による外乱を減少することができる。
【００１１】
（４）熱縮チューブの代りに、各リードＬが第一台座１０と第二台座２０とにそれぞれ設けられたワイヤリング溝１２，２１に絶縁し離間されるので、短絡や外乱を有効に防止することができる。
【考案を実施するための最良の形態】
【００１２】
以下、本考案の実施の形態を図面に基づいて説明する。
（一実施形態）
まず、図１から図６を参照する。本考案の一実施形態に係るコネクター用ワイヤリング台は、第一台座１０と、第二台座２０と、を含む。第一台座１０は、第一側面に位置決め穴１１が開設されており、第二側面には、一本のリードＬをそれぞれ収容する多数のワイヤリング溝１２が設けられている。第一台座１０の両端の端面に係止穴１３がそれぞれ凹設されている。第二台座２０は、第一側面には、一本のリードＬをそれぞれ収容する複数のワイヤリング溝２１が設けられており、第二側面には、第一台座１０の位置決め穴１１に挿入して係止される位置決めピン２２が設けられている。第二台座２０の両端には、第一台座１０の係止穴１３と係止する弾性付きフック２３がそれぞれ設けられておりいる。これにより、第一台座１０と第二台座２０とを安定に連接することができる。
【００１３】
本実施形態によるコネクター用ワイヤリング台を使用するコネクターは、図４から図６に示すように、樹脂製本体３１を有し、樹脂製本体３１内には複数の端子３２が嵌め設けられている。各端子３２の後段に、第一台座１０と第二台座２０とにそれぞれ挟まれているリードＬの裸線段Ｌ１を溶接した後、これらを金属製ケース３３によって囲んで、金属製ケース３３の外面に絶縁体３４を射出成形すると、コネクターの作製が完成する。
【００１４】
次に、本考案に係るコネクター用ワイヤリング台の使用状態を説明する。まず、第一台座１０と第二台座２０とを相互に係止すると、第一台座１０と第二台座２０とのワイヤリング溝１２，２１には一本のリードＬがそれぞれ挟まれており、且つ各リードＬの裸線段Ｌ１が第一台座１０と第二台座２０とから外部に突出している。コネクターの端子３２の後段に各リードＬの裸線段Ｌ１をそれぞれ溶接する。各リードＬが第一台座１０と第二台座２０とのワイヤリング溝１２，２１に挟まれているので、第一台座１０と第二台座２０とから外部に突出する各リードＬの裸線段Ｌ１のほぼ全ての長さが端子３２とラップしており、且つ隣接するリードＬ同士がワイヤリング溝１２，２１に離間され、熱縮チューブによって露出する裸線段Ｌ１を被覆することが必要なくなる。
【００１５】
また、本考案に係るコネクター用ワイヤリング台の使用方法は、各リードＬの前段が第一台座１０と第二台座２０とから外部に突出するように、第一台座１０と第二台座２０とのワイヤリング溝１２，２１に一本のリードＬをそれぞれ配設して、レーザナイフなどによって、第一台座１０と第二台座２０とから外部に突出する各リードＬの絶縁被覆を除去すると、裸線段Ｌ１が形成される。
【００１６】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００１７】
【図１】本考案の一実施形態によるコネクター用ワイヤリング台の分解斜視図である。
【図２】本考案の一実施形態によるコネクター用ワイヤリング台の斜視図である。
【図３】本考案の一実施形態によるコネクター用ワイヤリング台が多数のリードを挟んでいる状態を示す斜視図である。
【図４】図３における各リードの絶縁被覆が剥がれた状態を示す斜視図である。
【図５】本考案の一実施形態によるコネクター用ワイヤリング台がコネクターに組付けられている状態を示す分解斜視図である。
【図６】本考案に係るコネクター用ワイヤリング台がコネクターに組付けられた状態を示す斜視図である。
【図７】従来のコネクターにリードが溶接された状態を示す模式図である。
【図８】従来のコネクターが熱縮チューブによって、隣接するリードの短絡や外乱を回避する状態を示す模式図である。
【符号の説明】
【００１８】
１０：第一台座、１１：位置決め穴、１２：ワイヤリング溝、１３：係止穴、２０：第二台座、２１：ワイヤリング溝、２２：位置決めピン、２３：弾性付きフック、３１：樹脂製本体、３２：端子、３３：金属製ケース、３４：絶縁体、５１：樹脂製本体、５２：端子、５３：熱縮チューブ、Ｌ：リード、Ｌ１：裸線段、Ｌ２：裸線段
【図１】
0003146528.tif 000003
【図２】
0003146528.tif 000004
【図３】
0003146528.tif 000005
【図４】
0003146528.tif 000006
【図５】
0003146528.tif 000007
【図６】
0003146528.tif 000008
【図７】
0003146528.tif 000009
【図８】
0003146528.tif 000010